(57)【要約】【課題】コンタクトを簡素な部材から構成し、部材コストの削減を図れるコネクタを提供する。【解決手段】  コネクタは、接続対象物（ランプの導線等）と接続するコンタクトを備える。コンタクトは、本体部１と、接続対象物と接続する一対の接触部３と、弾性変位部５とスライダ部（アクチュエータ）６とを一体で有する。各接触部は、その近傍に当接部４を有する。スライダ部は、各当接部に当接し、各接触部を開閉する操作部７を有する。操作部の先端に形成されているハ字形状のコンタクト押し広げ部７ａが各当接部の間に対して挿入脱出することによって、一対の接触部は開閉する。弾性変位部は、一対の接触部とスライダ部との内少なくとも一方と本体部とを連結する。【選択図】  図１
2008171784.tif 000002
【特許請求の範囲】
【請求項１】
接続対象物と接続するコンタクトを備えるコネクタにおいて、
前記コンタクトは、本体部と、前記接続対象物と接続する一対の接触部と、スライダ部と、弾性変位部とを一体で有し、
前記各接触部は、その近傍に当接部を有し、
前記スライダ部は、前記各当接部に当接し、前記一対の接触部を開閉する操作部を有し、
前記弾性変位部は、前記一対の接触部と前記スライダ部との内、少なくとも一方と前記本体部とを連結することを特徴とするコネクタ。
【請求項２】
接続対象物と接続するコンタクトを備えるコネクタにおいて、
前記コンタクトは、本体部と、前記接続対象物と接続する一対の接触部と、スライダ部と、弾性変位部とを一体で有し、
前記各接触部は、その近傍に当接部を有し、
前記本体部は、前記各当接部に当接し、前記一対の接触部を開閉する操作部を有し、
前記弾性変位部は、前記一対の接触部と前記スライダ部との内、少なくとも一方と前記本体部とを連結することを特徴とするコネクタ。
【請求項３】
前記本体部又は前記スライダ部の一方に設けられる係止部と他方に設けられる被係止部が係合することによって前記一対の接触部の開状態と閉状態が維持されることを特徴とする請求項１又は２記載のコネクタ。
【請求項４】
前記コンタクトは、基板接続部を有し、前記基板接続部は、基板に半田接続されることを特徴とする請求項１又は２記載のコネクタ。
【請求項５】
前記コンタクトは、基板挿入部と基板接続部とを有し、前記基板挿入部に基板が挿入されて前記基板接続部と接続されることを特徴とする請求項１又は２記載のコネクタ。
【請求項６】
請求項１，２，３，４又は５記載のコネクタを用いることを特徴とするバックライト組立体。
【発明の詳細な説明】
【技術分野】
【０００１】
本発明は、コネクタに関し、一例として蛍光ランプ管を用いた直下型ランプソケットのようなランプ管用コネクタと、それを用いるバックライト組立体に関する。
【０００２】
なお、本発明は、本出願人と他の一人が平成１８年８月２日に共同出願した特願２００６−２１１３２６号の発明を改良したものである。
【背景技術】
【０００３】
従来、大型液晶のバックライトの光源には、ＣＣＦＬやＥＥＦＬの細径ランプ管が使用されている。液晶ガラスに対して背面から直接ランプ管の光を照射する方式は直下型と呼ばれ、光の利用効率が高く、モニターやテレビジョン等の高輝度を必要とする液晶ディスプレイのバックライトには最適である。
【０００４】
従来の直下型バックライト組立体には、いくつかの方式がある。
【０００５】
まず、一つの方式では、バックライトのシャーシーと呼ばれる金属筐体上に複数本のランプ管が間隔をおいて配設されている。各ランプ管の電極部である両端のリード線には、それぞれ電線の一端が半田接続されている。電線が半田接続されたランプ管の電極部の一端は、ゴム部材によって被覆されている。ゴム部材から引き出された電線の他端に圧着された端子は、コネクタハウジング内に収納され、シャーシーの裏面に配置されたインバータ基板上に実装されたコネクタに接続される。このようにして、コネクタ及び電線を通してランプ管に電力が供給される。
【０００６】
次に、別の方式では、インシュレータ、端子、スライダ部材から構成されるコネクタがインバータ基板上に実装されている。コネクタは、シャーシーを貫通してランプ管の実装面へ伸び、ランプ管の電極部をコネクタの端子で直接接続する。この方式は、ランプ管をコネクタの端子部に組み込んだ後、スライダ部材を操作することによりランプ管のリード線とコンタクトとを接続する。接続された後、リード線部は、比較的強固に固定される。
【０００７】
しかし、従来の直下型バックライト組立体には、以下の欠点がある。
【０００８】
電線を介してランプ管に電力を供給する方式は、ランプ管をゴム部材、ケーブル及びコネクタを介してインバータ基板と接続するため、使用部品の点数が多く、また、作業工程も多く、更にランプ管を交換する際に他の部品も交換せざるを得ないため、コストが高価である。更に、電線を半田付けしたランプ管は、取り扱いの際破損を生じ易い。
【０００９】
また、インバータ基板上にコネクタを実装し、ランプ管を直接接続する方式は、部材の削減とランプ管の着脱が容易である。しかし、ランプ管とコネクタとの組立時の位置ずれにより、接触時にストレスが発生する。更に、搬送中又は液晶組立中に印加される振動や衝撃により、ストレスが発生する。更に、ランプ管自身の発熱による熱収縮や熱膨張等によって、ストレスが発生する。これらのストレスは、ランプ管のリード線又はリード線の封止部に集中し、ランプ管が破損するか、又はランプ管の寿命が短くなる懸念が生じる。
【００１０】
また、従来では、コンタクトは接続対象となるランプ電極部と接続されるが、特に電極形状がリード線のような比較的変形を起こし易い形態の場合は、ランプを組み込む際にストレスをかけない、いわゆるＺＩＦ（ゼロ・インサーション・フォースすなわち無挿入力）構造が必要となり、ＺＩＦ実現のためにスライド部材にて端子を開閉させる構造となっている。
【００１１】
バックライト組立体とランプホルダーは、それぞれ本出願前に頒布された刊行物に記載されている（例えば、特許文献１，２参照）。
【００１２】
【特許文献１】特開２００２−３６７４２２号公報
【特許文献２】特開２００３−２５７５７０号公報
【発明の開示】
【発明が解決しようとする課題】
【００１３】
以上に述べたように、従来の方式では、コネクタを構成する部材が多く、コストが高くなるという欠点がある。
【００１４】
本発明は、コンタクトとスライド部材を一体とすることで、ＺＩＦ機能や接触性能を損なわずに部材費、組立工数を削減することが可能なため、より安価なバックライト組立体の提供を可能とするものである。
【課題を解決するための手段】
【００１５】
本発明は、前記課題を解決するため、次の手段を採用する。
【００１６】
１．接続対象物（ランプ等の導線）と接続するコンタクトを備えるコネクタに
おいて、前記コンタクトは、本体部１と、前記接続対象物と接続する一対の接触部３と、スライダ部６と、弾性変位部（つなぎ部）５とを一体で有し、前記各接触部は、その近傍に当接部４を有し、前記スライダ部は、前記各当接部に当接し、前記一対の接触部を開閉する操作部７を有し、前記弾性変位部は、前記一対の接触部と前記スライダ部との内、少なくとも一方と前記本体部とを連結するコネクタ。
【００１７】
２．接続対象物と接続するコンタクトを備えるコネクタにおいて、前記コンタクトは、本体部と、前記接続対象物と接続する一対の接触部と、スライダ部と、弾性変位部とを一体で有し、前記各接触部は、その近傍に当接部を有し、前記本体部は、前記各当接部に当接し、前記一対の接触部を開閉する操作部を有し、前記弾性変位部は、前記一対の接触部と前記スライダ部との内、少なくとも一方と前記本体部とを連結するコネクタ。
【００１８】
３．前記本体部又は前記スライダ部の一方に設けられる係止部１ａと他方に設けられる被係止部６ａが係合することによって前記一対の接触部の開状態と閉状態が維持される前記１又は２記載のコネクタ。
【００１９】
４．前記コンタクトは、基板接続部１０を有し、前記基板接続部は、基板に半田接続される前記１又は２記載のコネクタ。
【００２０】
５．前記コンタクトは、基板挿入部１１と基板接続部１２とを有し、前記基板挿入部に基板１３が挿入されて前記基板接続部と接続される前記１又は２記載のコネクタ。
【００２１】
６．前記１，２，３，４又は５記載のコネクタを用いるバックライト組立体。
【発明の効果】
【００２２】
明細書の説明から明らかなように、本発明は、次の効果を奏する。
【００２３】
１．構成部材がコンタクトのみであるので、簡素で、部材コストを削減することができる。
【００２４】
２．本体部又はスライダ部の一方に設けられる係止部と他方に設けられる被係止部が係合することによって、一対の接触部の開状態と閉状態が維持されるので、開閉の安定性が向上する。
【００２５】
３．コンタクトが有する基板挿入部に基板が挿入されて基板接続部と接続されるので、構成がコンパクトで、しかも、接続が便利である。
【発明を実施するための最良の形態】
【００２６】
本発明のコネクタの８実施例について説明する。
【実施例１】
【００２７】
本発明の実施例１のコネクタのコンタクトについて図１（Ａ）〜（Ｄ）を参照して説明する。
【００２８】
コンタクトの本体部１の下部両側には、基板等に接続する端子部２が設けられる。本体部１の一端側から中央付近までにわたる上部には、接続対象物（ランプ等の導線等）と接触する一対の接触部３が設けられる。一対の接触部３は、その先端に一対の当接部４を有する。本体部１の他端側には、弾性変位部５が設けられる。弾性変位部５には、スライダ部（アクチュエータ）６が設けられる。スライダ部６は、操作部７を有する。操作部７の先端に形成されているハ字形状のコンタクト押し広げ部７ａは、一対の当接部４に対して挿入脱出することができる。
【００２９】
スライダ部６の下部両側には、被係止部としての孔６ａが形成されている。各孔６ａに対応して、本体部１には、係止部となるそれぞれ一対の突起１ａが形成されている。
【００３０】
図１（Ａ），（Ｃ）の状態では、コンタクト押し広げ部７ａが一対の当接部４の間に挿入されているので、一対の接触部３は離間している。スライダ部６の各孔６ａが本体部１の各一対の突起１ａのうちの上側の突起１ａに係合しているので、一対の接触部３の開状態（接続対象物（ランプ等）が挿入可能な状態を表す）は維持されている。この状態で、接続対象物を無挿入力で一対の接触部３の間に挿入した後、スライダ部６を押し下げると、コンタクト押し広げ部７ａは一対の当接部４の間から脱出する。
【００３１】
すると、図１（Ｂ），（Ｄ）に示されるように、一対の接触部３は、コンタクトの固有の弾性によって互いに接近するので、接続対象物を両側から挟むように接続対象物と接触する。この際、弾性変位部５は、圧縮されるように変形する。スライダ部６の各孔６ａが本体部１の各一対の突起１ａのうちの下側の突起１ａに係合するので、一対の接触部３の閉状態（接続対象物（ランプ等）と接触した状態を表す）は維持される。
【００３２】
なお、孔６ａを本体部１に、突起１ａをスライダ部６に、それぞれ形成するように設計変更することができる。
【００３３】
また、孔６ａの代わりに凹部、溝等であってもよい。
【実施例２】
【００３４】
本発明の実施例２のコネクタのコンタクトについて図２（Ａ）〜（Ｃ）を参照して説明する。実施例２以下については、実施例１と同様な点についての説明は省略し、相違する点についての説明を行う。
【００３５】
実施例２における接触部３と当接部４の位置関係は、実施例１における接触部３と当接部４の位置関係を逆に替えたものである。また、実施例２におけるコンタクト押し狭め部７ｂは、実施例１におけるコンタクト押し広げ部７ａの作用を逆に替えたものである。図２（Ｃ）に示すように、スライダ部６に設けた被係止部（開口）６ａと一対の接触部３を連結する接触部連結部３ａに設けた係止部（突起）３ｂとが係合することにより、閉状態が維持される。
【００３６】
一対のコンタクト押し狭め部７ｂのそれぞれに設けられたガイド部７ｃは、一対の当接部４に一対のコンタクト押し狭め部７ｂをスムーズに挿入する役目をするものである。
【実施例３】
【００３７】
本発明の実施例３のコネクタのコンタクトについて図３（Ａ）〜（Ｃ）を参照して説明する。
【００３８】
本発明の実施例３の弾性変位部５とスライダ部（アクチュエータ）６は、本体部１の一端側に設けられ、弾性変位部５とスライダ部（アクチュエータ）６とは、一対の接触部３を連結する接触部連結部３ａに設けられる。
【００３９】
図３（Ａ）に示すように、当接部４と操作部７とが係合することにより開状態が維持される。
【実施例４】
【００４０】
本発明の実施例４のコネクタのコンタクトについて図４（Ａ），（Ｂ）を参照して説明する。接続対象物との接続形態は、実施例２と同じである。
【００４１】
各接触部３は、各当接部４を介して弾性変位部５と連結されている。一対の操作部７は、本体部１に設けられている。通常では、図４（Ａ）に示されるように、一対の接触部３は、開いた状態にある。接続対象物を所定位置に設置した後に、スライダ部６を押し下げると、図４（Ｂ）に示されるように、一対の接触部３は、一対の操作部７によって閉じ、スライダ部６の端部６ｂと係止部１ｂとが係合することにより閉状態が維持され、接続対象物と接触する。なお、本実施例４では、各当接部４が押圧された状態で、一対の接触部３は、接続対象物と接触した状態に維持される。
【実施例５】
【００４２】
本発明の実施例５のコネクタのコンタクトについて図５を参照して説明する。
【００４３】
スライダ部６と接触部３は、それぞれ本体部１との間に弾性変位部５を有している。接触部連結部３ａに弾性変位部５を設けることにより、一対の接触部３はフローティング状態に維持される。
【実施例６】
【００４４】
本発明の実施例６のコネクタのコンタクトについて図６（Ａ），（Ｂ）を参照して説明する。
【００４５】
実施例６は、実施例１〜５の端子部２を基板に接続する基板接続部とした場合の実施例である。基板接続部１０が基板に半田接続される構造である。本実施例６は、表面実装方式である。なお、図示しないが、基板にスルーホールを貫通して接続することもできる。
【実施例７】
【００４６】
本発明の実施例７のコネクタのコンタクトについて図７（Ａ）〜（Ｃ）を参照して説明する。実施例２（図２参照）とほぼ同一構造であり、基板挿入部１１と基板接続部１２とが設けられている点で相違する。
【００４７】
コンタクトの本体部１の下部に、断面略Ｔ字形状の基板挿入部１１が設けられている。基板挿入部１１内には、基板接続部１２が３角形状に弾性変形可能に設けられている。基板１３は、基板挿入部１１内に挿入されると、基板１３に設けられた接続パッド（図示せず）と基板接続部１２とが接続する。被係止部（開口）６ａとロック部１ｃとが係合することにより、閉状態が維持される。
【実施例８】
【００４８】
本発明の実施例８のコネクタのコンタクトについて図８（Ａ）〜（Ｃ）を参照して説明する。
【００４９】
コンタクトの本体部１の下部における両端と中央付近の両側には、基板等に接続する端子部２が設けられる。本体部１の一端の両側から中央付近までにわたる下部には、接続対象物（ランプ等の導線等）と接触する一対の接触部３が設けられる。一対の接触部３は、その先端に当接部４を有する。本体部１の他端の両側には、略Ｕ字形状に湾曲している一対の弾性変位部５が設けられる。各弾性変位部５は、側面側から見ると、略Ｕ字形状を呈する。一対の弾性変位部５には、スライダ部（アクチュエータ）６が設けられる。スライダ部６は、操作部７を有する。操作部７の一面中央に形成されている一対のコンタクト押し狭め部７ｂは、一対の当接部４に対して挟持離脱することができる。
【００５０】
スライダ部６の両側面には、被係止部としての突起６ｃが形成されている。各突起６ｃに対応して、本体部１の他端付近の両側面には、それぞれ係止部となる孔１ｄが形成されている。
【００５１】
図８（Ａ）の状態では、一対のコンタクト押し狭め部７ｂが一対の当接部４を挟持していないので、一対の接触部３は離間している。スライダ部６の各突起６ｃが本体部１の各孔１ｄに係合していないので、一対の接触部３の開状態（接続対象物（ランプ等）が挿入可能な状態を表す）は維持されている。この状態で、接続対象物を無挿入力で一対の接触部３の間に挿入した後、スライダ部６を押し下げると、一対のコンタクト押し狭め部７ｂは一対の当接部４を挟持する。
【００５２】
すると、図８（Ｂ），（Ｃ）に示されるように、一対の接触部３は、コンタクトの固有の弾性によって互いに接近するので、接続対象物を両側から挟むように接続対象物と接触する。この際、各弾性変位部５は、圧縮されるように変形する。スライダ部６の各突起６ｃが本体部１の各孔１ｄに係合するので、一対の接触部３の閉状態（接続対象物（ランプ等の導線等）と接触した状態を表す）は維持される。
【００５３】
なお、各突起６ｃを本体部１に、各孔１ｄをスライダ部６に、それぞれ形成するように設計変更することができる。
【００５４】
また、各孔１ｄの代わりに凹部、溝等であってもよい。
【００５５】
実施例１〜８のコネクタをそれぞれ一対用いて、ランプを接続するようにしてバックライト組立体として用いることができる。
【図面の簡単な説明】
【００５６】
【図１】本発明の実施例１のコネクタのコンタクトの諸図であり、（Ａ）は開状態の斜視図、（Ｂ）は閉状態の斜視図、（Ｃ）は開状態の正面図、（Ｄ）は閉状態の正面図を、それぞれ示す。
【図２】本発明の実施例２のコネクタのコンタクトの諸図であり、（Ａ）は正面側から見た開状態の斜視図、（Ｂ）は正面側から見た閉状態の斜視図、（Ｃ）は背面側から見た閉状態の斜視図を、それぞれ示す。
【図３】本発明の実施例３のコネクタのコンタクトの諸図であり、（Ａ）は正面側から見た開状態の斜視図、（Ｂ）は正面側から見た閉状態の斜視図、（Ｃ）は背面側から見た開状態の斜視図を、それぞれ示す。
【図４】本発明の実施例４のコネクタのコンタクトの２つの図であり、（Ａ）は正面側から見た開状態の斜視図、（Ｂ）は正面側から見た閉状態の斜視図を、それぞれ示す。
【図５】本発明の実施例５のコネクタのコンタクトの背面側から見た開状態の斜視図である。
【図６】本発明の実施例６のコネクタのコンタクトの２つの図であり、（Ａ）は開状態の正面図、（Ｂ）は開状態の側面図を、それぞれ示す。
【図７】本発明の実施例７のコネクタのコンタクトの諸図であり、（Ａ）は正面側から見た開状態の斜視図、（Ｂ）は開状態の正面図、（Ｃ）は開状態の側面図を、それぞれ示す。
【図８】本発明の実施例８のコネクタのコンタクトの諸図であり、（Ａ）は正面側から見た開状態の斜視図、（Ｂ）は正面側から見た閉状態の斜視図、（Ｃ）は背面側から見た閉状態の斜視図を、それぞれ示す。
【符号の説明】
【００５７】
１  本体部
１ａ  突起（係止部）
１ｂ  係止部
１ｃ  ロック部
１ｄ  孔（係止部）
２  端子部
３  接触部
３ａ  接触部連結部
３ｂ  係止部（突起）
４  当接部
５  弾性変位部
６  スライダ部（アクチュエータ）
６ａ  孔（被係止部、開口）
６ｂ  端部
６ｃ  突起（被係止部）
７  操作部
７ａ  コンタクト押し広げ部
７ｂ  コンタクト押し狭め部
７ｃ  ガイド部
１０  基板接続部
１１  基板挿入部
１２  基板接続部
１３  基板
【図１】
2008171784.tif 000003
【図２】
2008171784.tif 000004
【図３】
2008171784.tif 000005
【図４】
2008171784.tif 000006
【図５】
2008171784.tif 000007
【図６】
2008171784.tif 000008
【図７】
2008171784.tif 000009
【図８】
2008171784.tif 000010